(57)【要約】【課題】ベース部材の下側の狭小スペースに用紙検知ユニットを掴んだ指を差し入れずに楽にベース部材の取付板部に用紙検知ユニットを取り付ける。【解決手段】ベース部材１の取付板部１３を係止爪６６，６７と突当り面６５とで挟持させることによって用紙検知ユニットＵをベース部材１に取り付ける。先拡がり状態で用紙検知ユニットＵから突き出た下側係止爪６６と突当り面６５に対して直交する方向に延び出た上側係止爪６７とを有する。用紙検知ユニットＵが手の指Ｆで掴める大きさを有して取付板部１３の下方へ突き出る長さを有する。下側係止爪６６の差込み箇所イを支点として用紙検知ユニットＵを回動操作すると、上側係止爪６７が係合孔１５に差し込まれ、突当り面６５が取付板部１３に当たる。【選択図】        図２
2004196464.tif 000002
【特許請求の範囲】
【請求項１】
用紙搬送面を有するベース部材に具備された取付板部の係合孔に差し込まれた係止爪と用紙検知ユニットに備わっている突当り面とで上記取付板部を挟持させることによって用紙検知ユニットが上記ベース部材に取り付けられている用紙検知ユニットを備えた印字装置において、
上記係止爪に、先拡がり状態で用紙検知ユニットから突出された下側係止爪と上記突当り面に対して直交する方向に延び出た上側係止爪とが含まれ、
用紙検知ユニットが手の指で掴める大きさを有して上記取付板部の下方へ突き出る位置まで延出され、上記上側係止爪が、上記係合孔に差し込まれた下側係止爪の差込み箇所を支点とする用紙検知ユニットの回動操作を通じて上記係合孔に差し込まれる位置で用紙検知ユニット本体に連設されていると共に、
用紙検知ユニットが、上記突当り面と上側係止爪及び下側係止爪とを有するホルダーと、このホルダーに取り付けられて上記用紙搬送面の上方に突き出されたレバーと、上記ホルダーに具備された下板部に着脱可能でかつ上記用紙搬送面上を移動する用紙に押されて揺動する上記レバーの揺動を検出するフォトセンサーとでなることを特徴とする用紙検知ユニットを備えた印字装置。
【請求項２】
用紙搬送面を有するベース部材に具備された取付板部の係合孔に差し込まれた係止爪と用紙検知ユニットに備わっている突当り面とで上記取付板部を挟持させることによって用紙検知ユニットが上記ベース部材に取り付けられている用紙検知ユニットを備えた印字装置において、
用紙検知ユニットが手の指で掴める大きさを有して上記取付板部の下方へ突き出る位置まで延出され、上記係止爪に下側係止爪と上側係止爪とが含まれていると共に、上側係止爪が、上記係合孔に差し込まれた下側係止爪の差込み箇所を支点とする用紙検知ユニットの回動操作を通じて上記係合孔に差し込まれる位置で用紙検知ユニットに連設されていることを特徴とする用紙検知ユニットを備えた印字装置。
【請求項３】
上記下側係止爪と上記上側係止爪とが先拡がり状態で用紙検知ユニットから突出されており、上側係止爪が上記突当り面に対して直交する方向に延び出ている請求項２に記載した用紙検知ユニットを備えた印字装置。
【請求項４】
用紙検知ユニットが、上記突当り面と上側係止爪及び下側係止爪とを有するホルダーと、このホルダーに取り付けられて上記用紙搬送面の上方に突き出されたレバーと、上記ホルダーに着脱可能でかつ上記用紙搬送面上を移動する用紙に押されて揺動する上記レバーの揺動を検出するフォトセンサーとでなる請求項３に記載した用紙検知ユニットを備えた印字装置。
【発明の詳細な説明】
【０００１】
【発明の属する技術分野】
本発明は、用紙検知ユニットを備えた印字装置、特に、用紙検知ユニットの組立作業性を改善することのできる用紙検知ユニットを備えた印字装置に関する。
【０００２】
【従来の技術】
図４〜図６を参照して従来のこの種の用紙検知ユニットを備えた印字装置を説明する。図４は用紙検知ユニットＵの組立作業手順説明図、図５はベース部材１と用紙検知ユニットＵとの取付構造の説明図、図６は図５のＶＩ方向から見た用紙検知ユニットＵの背面図である。
【０００３】
図５〜図６のように、用紙検知ユニットＵは、発光素子を内蔵する発光部５１と受光素子を内蔵する受光部５２とを具備するケース５を備え、そのケース５に、互いに平行に前方へ延び出た下側係止爪５３及び上側係止爪５４と、それらの各係止爪５３，５４の延出し方向に対して直交する突当り面５５とが形成され、しかも、そのケース５には、レバー５６が取り付けられていると共に、上記発光素子や受光素子から導出されたリード線５８の引出口５７が具備されていた。さらに、この用紙検知ユニットＵでは、ケース５の下端から下側係止爪５３が突出されていた。この用紙検知ユニットＵが取り付けられるベース部材１は、図４又は図５のように、用紙搬送面１２を有していると共に、その用紙搬送面１２の下方へ延び出た取付板部１３を有し、その取付板部１３に上下の係合孔１４，１５が形成されている。
【０００４】
ベース部材１に用紙検知ユニットＵを取り付けるための作業はたとえば次の手順で行われる。図４のようにケース５を手の指Ｆで掴んでレバー５６をべース部材１のスリット状の開口１６に挿入し、併せて上下の係止爪５３，５４を取付板部１３の上下の係合孔１４，１５に対向させた後、図４の矢印ａのようにケース５を移動させて上下の係止爪５３，５４をそれぞれの係合孔１４，１５に差し込むという操作を行うことによって、係止爪５３，５４とケース５の突当り面５５とで取付板部１３を挟持させる。そして、この組立作業において、リード線５８がじゃまになるときには、そのリード線５８を、ケース５を掴んでいる手に持って作業を行っていた。
【０００５】
一方、従来、発光部と受光部との間に外力によって動くアクチュエータを設けたインタラプタにおいて、インタラプタ本体に設けた爪とリブとによってシャーシを挟んでシャーシにインタラプタを取り付けるという事例や、インタラプタ本体にコネクタを設けておくという事例があった（例えば特開平１０−１９４５１９号公報）。さらに、従来、複写機において、板状のブラケットにフォトインダラプタの爪形のフック部を係止させてフォトインタラプタをブラケットに取り付ける事例があった（実公平６−１３５１６号公報）。そして、これらの各事例はいずれも、図４又は図５で説明した従来の用紙検知ユニットＵの場合と同様に、その全体の大きさのうち発光部と受光部の大きさが大部分を占めていて、全体の大きさが発光部と受光部の大きさとほぼ同じ大きさになっている。
【０００６】
【特許文献１】
特開平１０−１９４５１９号公報
【特許文献２】
実公平６−１３５１６号公報
【０００７】
【発明が解決しようとする課題】
しかしながら、図５に示した従来の構造を採用すると、用紙検知ユニットＵの係止爪５３，５４を取付板部１３の係合孔１４，１５に差し込むときに、ベース部材１の下側の狭小スペースにケース５を掴んでいる指Ｆを差し入れて動かさざるを得ないためにその組立作業性を向上させにくいという問題があった。特許文献１や特許文献２に記載されている事例の場合も、インタラプタの爪の構造などが図５で説明した従来例の用紙検知ユニットと同様であるので、これらの文献に記載されている技術によっては上記問題を解決し得ない。
【０００８】
本発明は以上の問題に鑑みてなされたものであり、図４又は図５に示したものと同じ形状ないし大きさのベース部材に用紙検知ユニットを取り付ける場合であっても、その用紙検知ユニットが作業性よくベース部材に取り付けられるようになって組立作業性が改善される用紙検知ユニットを備えた印字装置を提供することを目的とする。
【０００９】
【課題を解決するための手段】
本発明に係る用紙検知ユニットを備えた印字装置は、用紙搬送面を有するベース部材に具備された取付板部の係合孔に差し込まれた係止爪と用紙検知ユニットに備わっている突当り面とで上記取付板部を挟持させることによって用紙検知ユニットが上記ベース部材に取り付けられている。そして、用紙検知ユニットが手の指で掴める大きさを有して上記取付板部の下方へ突き出る位置まで延出され、上記係止爪に下側係止爪と上側係止爪とが含まれていると共に、上側係止爪が、上記係合孔に差し込まれた下側係止爪の差込み箇所を支点とする用紙検知ユニットの回動操作を通じて上記係合孔に差し込まれる位置で用紙検知ユニットに連設されている。
【００１０】
この構造を採用すると、ベース部材に用紙検知ユニットを取り付けるときには、用紙検知ユニットにおける取付板部の下方へ突き出る部分を手の指で掴んで作業を行うことができるので、その係止爪をベース部材の取付板部の係合孔に差し込むときに、手の指をベース部材の裏側の狭小スペースに差し入れる必要がなくなる。しかも、上側係止爪が、上記係合孔に差し込まれた下側係止爪の差込み箇所を支点とする用紙検知ユニットの回動操作を通じて上記係合孔に差し込まれる位置でその用紙ユニット本体に連設されているという構成を採用しているため、組立作業では、下側係止爪を係合孔に差し込んだ後、その差込み箇所を支点として用紙検知ユニットを回動操作するだけで上側係止爪が係合孔に差し込まれる。そのため、上側係止爪を係合孔に位置合わせすることが必ずしも必要なくなり、それだけ組立作業性が向上する。
【００１１】
本発明では、上記下側係止爪と上記上側係止爪とが先拡がり状態で用紙検知ユニットから突出されており、上側係止爪が上記突当り面に対して直交する方向に延び出ていることが望ましい。この構成であると、取付板部から離れた箇所で、手の指で掴んだ用紙検知ユニットを楽に動かして上側係止爪を係合孔に差し込むことが可能になる。
【００１２】
本発明では、用紙検知ユニットが、上記突当り面と上側係止爪及び下側係止爪とを有するホルダーと、このホルダーに取り付けられて上記用紙搬送面の上方に突き出されたレバーと、上記ホルダーに着脱可能でかつ上記用紙搬送面上を移動する用紙に押されて揺動する上記レバーの揺動を検出するフォトセンサーとでなる、という構成を採用することができる。これによれば、フォトセンサーとしての安価な汎用部品を、レバーを備えたホルダーに装着することによって用紙検知ユニットを構成することが可能になるので、図６で説明したような用紙検知ユニットＵのように、単一のケース５に、発光素子と受光素子とを内蔵し、かつ、下側係止爪５３や上側係止爪５４を一体に形成したような特殊形状の部品に比べて用紙検知ユニットを安価に構成することができるという利点もある。
【００１３】
本発明に係る用紙検知ユニットを備えた印字装置は、用紙搬送面を有するベース部材に具備された取付板部の係合孔に差し込まれた係止爪と用紙検知ユニットに備わっている突当り面とで上記取付板部を挟持させることによって用紙検知ユニットが上記ベース部材に取り付けられている用紙検知ユニットを備えた印字装置において、上記係止爪に、先拡がり状態で用紙検知ユニットから突出された下側係止爪と上記突当り面に対して直交する方向に延び出た上側係止爪とが含まれ、用紙検知ユニットが手の指で掴める大きさを有して上記取付板部の下方へ突き出る位置まで延出され、上記上側係止爪が、上記係合孔に差し込まれた下側係止爪の差込み箇所を支点とする用紙検知ユニットの回動操作を通じて上記係合孔に差し込まれる位置で用紙検知ユニット本体に連設されていると共に、用紙検知ユニットが、上記突当り面と上側係止爪及び下側係止爪とを有するホルダーと、このホルダーに取り付けられて上記用紙搬送面の上方に突き出されたレバーと、上記ホルダーに具備された下板部に着脱可能でかつ上記用紙搬送面上を移動する用紙に押されて揺動する上記レバーの揺動を検出するフォトセンサーとでなる、という構成を採用することが可能である。この発明についての作用は次に説明する実施形態を参照して明らかにする。
【００１４】
【発明の実施の形態】
図１は用紙検知ユニットＵの組立作業手順説明図、図２はベース部材１と用紙検知ユニットＵとの取付構造の説明図、図３は図２のＩＩＩ方向から見た用紙検知ユニットＵの背面図である。
【００１５】
図３の用紙検知ユニットＵは、ホルダー６と、レバー７と、フォトセンサー８とを備えている。ホルダー６は合成樹脂成形体でなり、前板部６１とその前板部の６１の下端から背方へ突出された下板部６２と左右いずれかに備わっている側板部６３とを備えていると共に、その上部に備わっている左右の突片部６４，６４が、レバー７の支軸７１を前後に揺動自在に支えている。また、ホルダー６の上部には、突当り面６５と、この突当り面６５の両側で前方へ突き出た下側係止爪６６及び上側係止爪６７とが備わっている。そして、下側係止爪６６と上側係止爪６７とは先拡がり状態で前板部６１から突出していると共に、そのうちの上側係止爪６７が突当り面６５に対して直交する方向に延び出し、下側係止爪６６が突当り面６５に対して前下りに傾斜して延び出している。フォトセンサー８は、発光素子を内蔵する発光部５１及び受光素子を内蔵する受光部８２と、下方へ突き出た係止爪８３…とを一体に備えた汎用部品であり、このフォトセンサー８自体は安価に入手することが可能である。そして、フォトセンサー８の係止爪８３をホルダー６の下板部６２に備わっている係合孔６８…に差し込むことによってフォトセンサー８がホルダー６に固定されている。なお、レバー７の支軸７１に保持されているねじりコイルばねでなるばね体７２によってレバー７が起き上がり方向に常時付勢されている。
【００１６】
これに対し、ベース部材１は図４又は図５に示した従来の印字装置のそれと同じ構造を有している。すなわち、図１又は図２のように、ベース部材１は、用紙搬送面１２を有していると共に、その用紙搬送面１２の下方へ延び出た取付板部１３を有し、その取付板部１３に上下の係合孔１４，１５が形成されている。
【００１７】
ここで、用紙検知ユニットＵのホルダー６は、上下の係止爪６６，６７をベース部材１の取付板部１３に備わっている上下の係合孔１４，１５に各別に対向させた場合に、取付板部１３の下方へ突き出る長さを有しており、その突き出た部分を手の指Ｆで掴むことができるようになっている。また、上側係止爪６７は、下側の係合孔１４に差し込まれた下側係止爪６６の差込み箇所を支点とする用紙検知ユニットＵの回動操作を通じて上側の係合孔１５に差し込まれる位置でホルダー６に連設されている。
【００１８】
以上において、図３で説明した用紙検知ユニットＵをベース部材１に取り付けるときには、最初の段階で、図１のように、ホルダー６の下端部を手の指Ｆで掴み、レバー７をべース部材１のスリット状の開口１６に挿入し、併せて、下側係止爪６６を取付板部１３の下側の係合孔１４に差し込む。このとき、上側係止爪６７は上側の係合孔１５の口縁に当て付けるか、あるいは、その係合孔１５に対向させておけばよい。このような最初の段階での作業は、ホルダー６の下端部を掴んだ指Ｆをベース部材１の下側の狭小スペースＳに差し入れることなく容易にしかも正確に行うことができる。
【００１９】
次に、係合孔１４に差し込まれている下側係止爪６６の差込み箇所イを支点としてホルダー６を図１の矢印ｂのように回動させると、その回動操作を通じて上側係止爪６７が上側の係合孔１５に差し込まれて突当り面６５が取付板部１３に突き当たる。このような回動操作を行うときには、上側係止爪６７を上側の係合孔１５に対して位置合わせする必要は必ずしもない。これは、上記のように、上側係止爪６７が、下側の係合孔１４に差し込まれた下側係止爪６６の差込み箇所を支点とする用紙検知ユニットＵの回動操作を通じて上側の係合孔１５に差し込まれる位置でホルダー６に連設されていることによる。こうして上側係止爪６７が上側の係合孔１４に差し込まれて突当り面６５が取付板部１３に突き当たると、上下の各係止爪６６，６７と突当り面６５とが取付板部１３を挟持し、それによって用紙検知ユニットＵがベース部材１に取り付けられる。この段階の作業も、ホルダー６の下端部を掴んだ指Ｆをベース部材１の下側の狭小スペースＳに差し入れることなく容易にしかも正確に行うことができる。
【００２０】
図２に示した構造でベース部材１に用紙検知ユニットＵが取り付けられていると、用紙搬送面１２を滑って給送されてきた用紙Ｐがレバー７を前方へ押して図中仮想線で示したように傾倒させながら矢印ｃのように移動し、図示していない印字部などに送り込まれる。また、レバー７が用紙Ｐにより押されて前方へ揺動して傾倒すると、フォトセンサー８がレバー７が揺動したことを検出し、図示していない用紙搬送ローラの回転制御信号を出す。
【００２１】
【発明の効果】
以上のように、本発明に係る用紙検知ユニットを備えた印字装置によれば、従来と同じ形状ないし大きさのベース部材に用紙検知ユニットを取り付ける場合であっても、ベース部材の下側の狭小スペースに用紙検知ユニットを掴んだ指を差し入れずに楽にベース部材の取付板部に取り付けることができるようになって組立作業が簡略になる。また、用紙検知ユニットを、係止爪を備えたホルダーと、レバーと、フォトセンサーとによって形成したものでは、フォトセンサーに汎用部品を用いることができるようになるので、それだけコストダウンを図りやすくなるという利点がある。
【図面の簡単な説明】
【図１】本発明に係る印字装置での用紙検知ユニットの組立作業手順説明図である。
【図２】ベース部材と用紙検知ユニットとの取付構造の説明図である。
【図３】図２のＩＩＩ方向から見た用紙検知ユニットの背面図である。
【図４】従来の印字装置における用紙検知ユニットの組立作業手順説明図である。
【図５】ベース部材と用紙検知ユニットとの取付構造の説明図である。
【図６】図５のＶＩ方向から見た用紙検知ユニットの背面図である。
【符号の説明】
Ｕ  用紙検知ユニット
Ｆ  手の指
１  ベース部材
６  ホルダー
７  レバー
８  フォトセンサー
１２  用紙搬送面
１３  取付板部
１４，１５  係合孔
６２  下板部
６５  突当り面
６６  下側係止爪
６７  上側係止爪
イ  下側係止爪の差込み箇所
【図１】
2004196464.tif 000003
【図２】
2004196464.tif 000004
【図３】
2004196464.tif 000005
【図４】
2004196464.tif 000006
【図５】
2004196464.tif 000007
【図６】
2004196464.tif 000008